(57)【要約】      （修正有）【課題】直管形ＬＥＤ灯の落下事故を確実に防止できるようにした落下防止具を提供する。【解決手段】直管形照明灯を照明器具のソケットに保持する直管形照明灯の落下防止具において、照明器具のベースに磁着される磁石板１１と、磁石板に取付けられたホルダー１２と、挿通孔を有しホルダーに取付けられる取付け片１３と、取付け片の挿通孔に挿通され直管形照明灯に抱きついて取付けられる結束バンド１４と、を備える。結束バンドは直管形照明灯のソケット近傍に取付けるのがよいが、照明灯の長手方向の中央近傍に取付けると、照明灯の変形を抑制できる。【選択図】図１
0003166715.tif 000002
【実用新案登録請求の範囲】
【請求項１】
直管形照明灯を照明器具のソケットに保持する直管形照明灯の落下防止具において、
上記照明器具のベースに磁着される磁石板（１１）と、
該磁石板（１１）に取付けられたホルダー（１２）と、
挿通孔を有し上記ホルダー（１２）に取付けられる取付け片（１３）と、
該取付け片（１３）の挿通孔に挿通され、上記直管形照明灯（２０）に抱きついて取付けられる結束バンド（１４）と、
を備えたことを特徴とする直管形照明灯の落下防止具。
【請求項２】
上記結束バンド（１４）が合成樹脂材料によって製造されている請求項１記載の直管形照明灯の落下防止具。
【請求項３】
上記結束バンド（１４）が直管形照明灯（２０）のソケット（２１）近傍に抱きついて取付けられる請求項１記載の直管形照明灯の落下防止具。
【請求項４】
上記結束バンド（１４）が直管形照明灯（２０）の長手方向の中央近傍に抱きついて取付けられる請求項１記載の直管形照明灯の落下防止具。
【考案の詳細な説明】
【技術分野】
【０００１】
本考案は直管形照明灯の落下防止具に関し、特に直管形ＬＥＤ灯の落下事故を確実に防止できるようにした防止具に関する。
【背景技術】
【０００２】
最近の電子技術の飛躍的発展に伴い、高輝度ＬＥＤが実用化され、省電力の点からＬＥＤ灯を採用する傾向にあり（特許文献１、特許文献２）、既設の蛍光灯照明器具にＬＥＤ灯をセットすることがよく行われている。
【０００３】
しかし、ＬＥＤ灯は従来の蛍光灯に比較して１．５〜２倍の重さがあり、地震発生時の落下事故が懸念され、又ＬＥＤ灯が時間の経過とともにその自重によって中央から湾曲し、照明器具のソケットで短絡事故やサージ電流が発生するおそれがあった。
【０００４】
これに対し、蛍光灯器具の背面パネルに台座板を装飾ねじ又は粘着剤によって取付け、台座板のアームにベルトを取付け、ベルトを蛍光灯ランプに抱きつかせるようにした落下防止具が提案されている（特許文献３）。
【０００５】
また、半円筒状のホルダーを蛍光灯器具の背面パネルに粘着剤で取付け、ホルダー内に蛍光灯ランプを挿通して受けるようにした落下防止具が提案されている（特許文献４）。
【０００６】
さらに、Ｖ字状ベースの両先端の爪を蛍光灯器具の背面パネルと天井の隙間に差し込み、ベースにアームを介して円弧状のホルダーを形成し、ホルダーに蛍光灯ランプを抱持させるようにした落下防止具が提案されている（特許文献５）。
【先行技術文献】
【特許文献】
【０００７】
【特許文献１】特開２０００−２５７９２８号公報
【特許文献２】特開２０１０−２７２１２号公報
【特許文献３】実開平０７−７０１１号公報
【特許文献４】実用新案登録第３１６２６５９号公報
【特許文献５】実用新案登録第３１５５０１８号公報
【考案の開示】
【考案が解決しようとする課題】
【０００８】
しかし、特許文献３、４記載の落下防止具ではねじ止めしようとすると、照明器具のベースパネルにねじ孔を穿設する必要があって取付けが煩雑である一方、粘着剤で取付けるようにすると、粘着力が温度上昇によって低下するとともに、時間の経過に伴って低下して落下事故が懸念される。
【０００９】
また、特許文献５記載の落下防止具では既設の照明器具にＬＥＤ灯をセットする場合には既設器具を一旦外してＶ字状ベースの両先端の爪を蛍光灯器具の背面パネルと天井の間に挟持する必要がり、作業が非常に煩雑であった。
【００１０】
この考案はかかる問題点に鑑み、既設の器具に簡単に取付けることができ、しかも取付け強さが経時劣化することのないようにした直管形照明灯の落下防止具を提供することを課題とする。
【課題を解決するための手段】
【００１１】
そこで、本考案に係る直管形照明灯の落下防止具は、直管形照明灯を照明器具のソケットに保持する直管形照明灯の落下防止具において、上記照明器具の背面パネルに磁着される磁石板と、該磁石板に取付けられたホルダーと、挿通孔を有し上記ホルダーに取付けられる取付け片と、該取付け片の挿通孔に挿通され、上記直管形照明灯に抱きついて取付けられる結束バンドと、を備えたことを特徴とする。
【００１２】
本考案の特徴の１つは結束バンドを照明器具の背面パネルに磁着し、結束バンドを直管形照明灯に抱持させるようにした点にある。これにより、既設の照明器具であっても取り外すことなく、落下防止具を照明器具に簡単にセットすることができる。
【００１３】
また、磁着によって取付けているので、粘着剤で取付ける場合に比較して取付け強度の温度依存性や経時劣化がなく、蛍光灯の落下事故を長期にわたって確実に防止できる。
【００１４】
結束バンドは落下事故を防止する上で、ソケット近くを抱持させるのがよいが、蛍光灯の中央付近を抱持させるようにすると、ＬＥＤ灯の自重によって変形を抑制でき、短絡事故やサージ電流の発生を防止できる。
【００１５】
照明器具のベースは例えば器具の背面パネル、シェード、反射板など、照明灯の背後に設けられて磁着可能なものであればよい。
【図面の簡単な説明】
【００１６】
【図１】本考案に係る直管形照明灯の落下防止具の好ましい実施形態を示す概略斜視図である。
【図２】上記実施形態の使用例を示す正面図である。
【図３】上記実施形態の使用例を示す側面図である。
【考案を実施するための形態】
【００１７】
以下、本考案を図に示す具体例に基づいて詳細に説明する。図１ないし図３は本考案に係る直管形照明灯の落下防止具の好ましい実施形態を示す。図において、落下防止具１０は矩形状の磁石板１１、磁石板１１に取付けられたホルダー１２、ホルダー１２にねじ止めされ、挿通孔を有する取付け片１３、及び取付け片１３の挿通孔に挿通された締結バンド１４から構成されている。
【００１８】
ホルダー１２は例えば金属板をコ字状に加工して製造され、取付け片１３は例えばプラスチック材料を用いて製造され、結束バンド１４はポリプロピレン、ポリスチレン、ナイロン、ポリカーボネートなどのプラスチック材料を用いて製造されている。
【００１９】
磁石板１１及びホルダー１２にはねじ止め用のねじが螺合されるねじ穴が形成され、結束バンド１４にはバンドが挿通されて保持されるホルダー部１４Ａが形成されている。ホルダ−部１４Ａ内面及びバンドには凹凸を形成してバンドの挿入を許容するが抜けを規制するか、ホルダ−部１４Ａを押しつぶすことによってバンドを抜け止めするようになっている。
【００２０】
ここで、磁石板１１以外にホルダー１２を設けるようにしたので、磁石板１１にねじ穴を形成し、取付け片１３をねじ止めすると、磁石板１１は一般的に硬質であり、荷重が直接作用すると、割れるおそれがあるからである。
【００２１】
直管形ＬＥＤ灯２０をホールドする場合、図２に示されるように、ＬＥＤ灯２０の背後のベース３０に磁石板１１を磁着させるとともに、結束バンド１４をＬＥＤ灯２０に抱きつかせ、そのホルダー部１４Ａに挿通して抜け止めすると、ＬＥＤ灯２０の落下事故を防止できる。
【００２２】
この場合、図３に示されるように、結束バンド１４をソケット２１近傍のＬＥＤ灯２０に抱きつかせると、ＬＥＤ灯２０の落下防止を確実とすることができ、又ＬＥＤ灯２０の中央近傍に抱きつかせると、ＬＥＤ灯２０の自重による変形を抑制できる。
【符号の説明】
【００２３】
１０      落下防止具
１１      磁石板
１２      ホルダー
１３      取付け片
１４      結束バンド
【図１】
0003166715.tif 000003
【図２】
0003166715.tif 000004
【図３】
0003166715.tif 000005